(57)【要約】【課題】特に大がかりな器具や装置を用いることなく、人体をまたは遺体を確実に冷やすことができる保冷具を提供する。【解決手段】人体または遺体を冷やす保冷具１を、熱伝導性の高い金属薄膜からなる第１シート２と、上記第１シート２より熱伝導率の低い第２シート３とで構成し、上記第１シート２と上記第２シート３とを重ね合わせ、その一辺を開口部４とし、他の三辺をシールして袋状とした。【選択図】図３
2017221661.tif 000002
【特許請求の範囲】
【請求項１】
人体または物体を保冷する保冷具であって、
人体または物体と接触するように用いられる熱伝導率の高い第１シートと、上記第１シートよりも熱伝導率の低い第２シートとからなり、
上記第１シートと上記第２シートとを重ね合わせ、その一辺を開口部とし、他の三辺をシールして袋状としたことを特徴とする保冷具。
【請求項２】
上記第１シートが金属薄膜からなることを特徴とする請求項１に記載の保冷具。
【請求項３】
上記第２シートが不織布からなることを特徴とする請求項１に記載の保冷具。
【請求項４】
内部に蓄冷材が収納されることを特徴とする請求項１ないし３のいずれか１項に記載の保冷具。
【発明の詳細な説明】
【技術分野】
【０００１】
本発明は、人体や物体の全体または部分を冷やすのに用いられる保冷具に関し、さらに詳しく言えば、特に大がかりな器具や装置等を用いることなく、人体や物体を冷すことができる保冷具に関する。
【背景技術】
【０００２】
一般的な医療現場では、高熱を発する感染症など患者に対しては、人体の動脈などの太い血管のある場所、例えば、わきの下や足の付け根などを氷嚢や蓄冷材で冷やし、下熱を促すようにしている。
【０００３】
また、病院で死亡した場合における遺体の処理は、病院から葬儀関係者、その他の関係者へと引き継がれるが、遺体の腐敗を防ぐためには、死亡後速やかに冷やすことが要求される。
【０００４】
遺体を保冷して腐敗を防ぐには、遺体を細かいデジタル管理のできる冷蔵庫内に保管し、例えば、遺体の年齢や体格、性別などによっても異なるが、庫内温度を４〜７℃に保ち、遺体を凍結させることなく保冷することが大事である。
【０００５】
しかしながら、冷蔵庫での保冷では、遺体の深部体温低下時間に時間を要するため（約６時間）、直接冷却法が最も効果的であるとされる中枢性発熱や劇症型変化が予測される遺体には適用しても効果は低い。
【０００６】
また、一般的な病院の多くは、遺体を保管する冷蔵設備がない。そのため、蓄冷材を利用した保冷が一般的となっている。具体的には、蓄冷材を入れた袋を、遺体の首、腹部などにあてがうことにより、遺体全体の温度の上昇を抑え、腐敗を防止している。
【０００７】
特に、蓄冷材を利用した遺体保冷では、１５分程度で深部体温の低下が可能となるため、上記した中枢性発熱や劇症型変化が予測される遺体に対しても深部体温低下を速やかに行うことができ、腐敗の防止に効果的である。
【０００８】
一方、大きな自然災害が発生した場合で不幸にして多くの命が失われた場合の遺体の保存には、ドライアイスが利用されている。
【０００９】
被災地から遺体を回収する場合に、最も重要なのはその遺体が腐敗せず、病院や検査機関で遺体の検査や識別が終了するまで保存されることであり、一般に、被災地から遺体を回収する場合、遺体袋に収納された遺体の腐敗防止手段として、ドライアイスを遺体の周りに詰め込むようにしている。
【００１０】
このように、従来から、遺体を冷やす一つの方法としてドライアイスが用いられているが、ドライアイスはマイナス４０℃以下で保管しなければならないため、病院や葬儀社で大量にストックすることはできず、必要に応じて製造会社から購入するようにしている。
【００１１】
この場合、特に大きな自然災害もなく、ドライアイスの流通が安定しているときは問題はないが、上記したように予測できない大きな自然災害が発生した場合には、多くの遺体を速やかに保存しなければならないにもかかわらず、ドライアイスの入手に支障を来した事例が少なくない。
【００１２】
最も近い事例では、東日本大震災での事例であるが、被災地の力関係でドライアイスが入手できる被災地と入手できない被災地といったドライアイスの過剰と不足の問題や、一部の葬儀社の買い占めによるドライアイスの不足や高騰という問題も起こっていた。
【００１３】
そこで、従来では、下記特許文献１のように、ドライアイスを用いることなく、遺体を病院や検査機関まで運ぶ間、遺体袋の保冷ができるようにした保冷手段が提供されている。
【００１４】
また、近年では、環境問題の観点、特に地球温暖化の問題から二酸化炭素（炭酸ガス）の大気中への放出が問題視されているため、昇華して二酸化炭素となるドライアイスの使用を削減することが求められおり、ドライアイスの使用を避け、他の保冷手段に切り替えることが検討されている（下記特許文献２）。
【００１５】
しかしながら、上記従来例では、いずれも保冷手段の構成が複雑であるとともに、上記特許文献１の保冷手段では長時間保冷することはできるが速やかな保冷はできず、中枢性発熱や劇症型変化が予測される遺体の腐敗防止には対応できない。
【００１６】
また、下記特許文献２では、遺体を保冷する際には、冷凍庫で凍らせた吸水性樹脂からなるゲルを冷凍するため、この凍らせたゲルが常態に戻ってしまえば、保冷シートの交換が必要であり、遺体を長期間にわたって継続的に冷やし続けることができない。
【先行技術文献】
【特許文献】
【００１７】
【特許文献１】特開２００８−０２９７８０号公報
【特許文献２】実開平０５−０７６４２７号公報
【発明の概要】
【発明が解決しようとする課題】
【００１８】
そこで、本発明者は、熱伝導性の高い物質と熱伝導性の低い物質との組み合わせれば、熱伝導性の高い物質にのみ熱交換が起こることに着目し、熱伝導性の高い物質と熱伝導性の低い物質との組み合わせによる冷却効果を利用し、特に大がかりな器具や装置などを用いることなく、人体または物体を効率的に、かつ、継続的に保冷できる保冷具を提供するものである。
【課題を解決するための手段】
【００１９】
本発明は、人体または物体を保冷する保冷具であって、人体または物体と接触するように用いられる熱伝導率の高い第１シートと、上記第１シートよりも熱伝導率の低い第２シートとからなり、上記第１シートと上記第２シートとを重ね合わせ、その一辺を開口部とし、他の三辺をシールして袋状としたことを特徴としている。
【００２０】
上記第１シートが金属薄膜からなることが好ましく、上記第２シートが不織布であることが好ましい。また、内部に蓄冷材を収納するとよい。
【発明の効果】
【００２１】
本発明によれば、熱伝導性シートからなる第１シートと、上記第１シートより熱伝導率の低い第２シートとを重ね合わせたことにより、例えば、熱のある患者の額に、単に、第１シートを接触させることにより、熱伝導率の高い第１シートへと伝導させることができ、患者の解熱を促すことができる。
【００２２】
この場合、熱伝導性シートからなる第１シートと、上記第１シートより熱伝導率の低い第２シートとを重ね合わせ、その一辺を開口部とし、他の三辺をシールして袋状としていることにより、例えば、氷や一般的な蓄冷材等を開口部からその内部に投入することができ、患者の下熱をより効率的に促すことができる。
【００２３】
また、同様に、保冷具の袋内にドライアイス等の超低温素材からなる蓄冷材を投入して遺体の首や腹部等の局部に接触させることにより、特に、中枢性発熱や劇症型変化が予測される遺体の深部体温低下を速やかに行うことができ、遺体の腐敗の防止に効果的である。
【００２４】
これらの場合において、第１シートを、例えば、アルミニウム等の金属薄膜からなる熱伝導シートとし、第２シートを熱伝導率の低い不織布とすれば、加工が容易であるとともに、安価に済ますことができる。
【図面の簡単な説明】
【００２５】
【図１】本発明の保冷具の構成を示す説明図。
【図２】本発明の保冷具の使用例を示す説明図。
【図３】本発明の保冷具を示す説明図。
【図４】本発明の保冷具の温度変化例を示すグラフ説明図。
【発明を実施するための形態】
【００２６】
以下、図面を参照して本発明の実施形態について説明するが、本発明は、本実施形態に限定されることはない。
【００２７】
まず、図１を参照して、本第１実施形態に係る保冷具１は、熱伝導性の高い、例えばアルミニウムなどの金属薄膜からなる第１シート２と、第１シートより熱伝導率の低い、例えば、不織布からなる第２シート３とから構成されている。
【００２８】
本実施形態において、保冷具１は、例えば、人体が横臥できる大きさとしたり（図２参照）、人体の首や足などの人体の局部に接触できる大きさとしてもよく、保冷する箇所に合わせた大きさとすればよい。
【００２９】
図２には、この保冷具１を使用して人体を保冷する一例が示されている。この例で、保冷具１は、例えば、感染症等の高熱の患者の保冷に用いられるが、一般的なシーツと同様に、ベッド等の寝台上に載置されて使用される。
【００３０】
この場合、保冷具１は、第１シート２が患者と接触する側とされ、患者を第１シート上に横臥させることにより、高熱の患者の下熱を促すようようにしている。
【００３１】
ここで、熱伝導性の高い物質と熱伝導性の低い物質とを組み合わせれば、熱伝導性の高い物質にのみ熱交換が起こることが知られているが、熱伝導率の高い物質を手で触れると、手からその触れた面へと熱が移動するため冷たく感じる。
【００３２】
そのため、図２に示すように、患者を熱伝導率の高い第１シート２上に横臥させることにより、患者に冷感を与えつつ患者の熱を第１シート２へと移動させることができ、特に大がかりな器具や装置を用いずとも、人体を継続的に冷やすことができる。
【００３３】
なお、本第１実施形態では、保冷具１を、高熱の患者を第１シート２上に横臥させて患者の下熱を促す保冷具として説明しているが、これに限られることはなく、例えば、死亡間もない遺体を第１シート２上に横臥させれば、遺体の熱を第１シート２に伝導させることができ、遺体の保冷具としても使用できる。
【００３４】
さらに、大きな自然災害等により、不幸にして多くの遺体を保管するような場合では、第１シート側を遺体に接触させるように遺体に被せたり、遺体を包むことにより、第１シート２により遺体を冷やすことができるとともに、第２シート３により外気温を断熱できるため、遺体を継続的に保冷することができる。
【００３５】
図３には、本第２実施形態が示されており、この保冷具１は、本第１実施形態と同様に、熱伝導性の高い、例えば、アルミニウム等の金属薄膜からなる第１シートと、第１シートより熱伝導率の低い不織布からなる第２シート３とから構成されている。
【００３６】
この例で、この保冷具１は、その一辺を開口部４とし、他の三辺をシールした袋状とされてており、例えば、蓄冷材やドライアイス等の超低温素材（図示せず）を開口部４から収納することができるようになっている。
【００３７】
そのため、人体や遺体の局部を冷やす際に、保冷具１内に蓄冷材やドライアイス等の超低温素材を収納し、第１シート２側を人体や遺体に接触させることで、第１シート２を介して、超低温素材の温度を人体や遺体に伝導させて急激に冷やすことができる。したがって、特に、中枢性発熱や劇症型変化が予測される遺体の腐敗を防ぐのに有効である。
【００３８】
また、この場合、熱伝導率の小さい第２シート３は、蓄冷材やドライアイス等の超低温素材の投入による保冷具１の温度変化によって生じた結露を吸収するとともに、超低温素材の温度を外部に伝導しない断熱材の役目を果たすことができる。
【００３９】
なお、上記実施形態において、第２シート３を熱伝導率の低い不織布で構成しているが、不織布は、繊維に加工できるほとんどの物質で使用可能であり、また、複数の原料を組み合わせることもできるため、仕様に応じて適宜することができる。この場合、不織布の原料によらず、熱伝導率をより小さくするには、布の厚みを大きくすればよい。
【００４０】
上記実施形態では、保冷具１の内部に蓄冷材やドライアイス等の超低温素材を入れて人体や遺体を保冷する例で説明したが、本発明の保冷具１は、上記第１実施形態で説明したように、その内部に蓄冷材やドライアイス等の超低温素材を投入せずとも保冷効果を上げることができる。
【００４１】
加えて、本第２実施形態における保冷具１では、第１シート２と第２シート３との間には空気が入り込む隙間があるため、空気の流動による対流が第１シート２の熱伝導率を大きくすることとなり、人体や遺体の熱を保冷具１へと効果的に取り込むことができる。
【００４２】
また、本第２実施形態においては、保冷具１を、その一辺を開口部４とし、他の三辺をシールした袋状としているが、その大きさ・形状は、保冷する局部に応じて決定されればよく、また、第１シート２と第２シート３との間にマチを設けた袋状としてもよい。
【００４３】
なお、本第１実施形態および本第２実施形態において、本発明の保冷具１により保冷する一例として人体や遺体を保冷する例で説明したが、本発明はこれに限られることはなく、例えば、保冷具１において、冷たい生鮮食品を第１シート２に接触するように載置することにより、継続的に冷やすことができる。
【００４４】
この場合、保冷具１に蓄冷材やドライアイス等の超低温素材を収納し、冷たい生鮮食品と接触させるようにしておけば、より効果的に保冷することができる。また、蓄冷材としては、水にゲル化剤や多価アルコール等の不凍液を加えた柔軟性あるものとすれば、人体や物体へのフィット性を向上させ、より効果的に保冷することができる。
【００４５】
また、本第１実施形態および本第２実施形態においては、加工の容易さやコスト的な面を考慮して、第１シート２をアルミニウム等の金属薄膜シートとしているが、ダイヤモンド、銀、銅、等の高熱伝導率素材であってもよく、上記第１実施形態および第２実施形態に限定されない。
【００４６】
なお、第１シート２に、例えばアルミニウムなどの金属素材そのものの金属色とせず、例えば、白色等の着色印刷を施すことが好ましく、これにより、特に、保冷具が遺体に宛がわれる場合の、遺族の金属色に対する不快感を解消させることができる。
【００４７】
次に、本発明品の評価を以下の実施例および比較例により行ったが、本発明は、それら実施例および比較例に限定されるものではない。
【００４８】
（実施例）
超低温素材として、水にゲル化剤や多価アルコール等の不凍液を加え、微量の架橋剤・防腐剤・着色剤等を添加した内容物をナイロンポリエチレン製の袋に充填した蓄冷材Ａ（三重化学社製；商品名「スノーパック・クール」）と、蓄冷材Ａをアルミニウムシートと不織布からなる専用カバー（本発明品）内に収納した保冷材Ｂとを、家庭用冷凍庫（約−２０℃）にて十分冷却した後、２６℃〜２７℃環境下において静置させた時の表面温度の変化を図４に示す。
【００４９】
これによると、蓄冷材Ａは、冷凍庫内での冷却速度は保冷具Ｂより早く十分に冷却されているものの、上記環境下では保冷具Ｂより温度上昇が速い。一方、保冷材Ｂは、冷凍庫内での冷却速度は遅いものの、上記環境下での温度上昇は緩やかである。
【００５０】
この測定結果から、本発明品である専用カバー内に蓄冷材Ａを収納した方が、環境温度に影響されることが少なく、保冷効果が大きいことがわかった。
【００５１】
なお、この測定では、保冷材Ｂのアルミニウムシートを上面として静置し、アルミニウムシートの表面温度を測定しているが、アルミニウムシート側を下面とし、不織布側を上面とすれば、不織布の断熱効果により、アルミニウムシートの表面温度の上昇はさらに緩やかな結果となることはいうまでもない。
【００５２】
（本発明品の評価）
本発明品の評価を得べく尾道市立市民病院にて患者３３人に以下の保冷材について試用してもらい、その感想および評価を得た。なお、評価は、亡くなる方が多い病棟と救急外来で行った。
比較例１：アルミニウムシート（薄め；アルミニウム９０μｍ）と不織布（レーヨン不織布３０ｇ）からなるカバー内に、病院内で使用されている蓄冷材Ｃを収納した保冷材
比較例２：片面にアルミニウムシートを備えた蓄冷材（竹虎社製；商品名「ソフラクール（ｒ）クイックプロトタイプ）；カバーなし
比較例３：アルミニウムシート（厚め；アルミニウム９０μｍ）と不織布（スパンドボンド不織布４０ｇ）からなるカバー内に、病院内で使用されている蓄冷材Ｃを収納した保冷材
【００５３】
（各比較例についての感想）
比較例１：
・結露が多く、寝衣が濡れるのが気になった。
・ビニール袋に入れて体に置くより良い。人として最後まで対応していることを実感できた。
・高級感があった。
・使用しないとき、まるまってまい保存に困った。
比較例２：
・直接、体に置くのに抵抗があり、ビニール袋にいれて置いた。
・蓄冷材の水色が鮮やかすぎる。色が見えない方がよい。
比較例３：
・結露は気にならない。
・薄めの不織布よりさらに高級感があり良かった。
【００５４】
そして、比較例１−３のうち、最も良かったものを選択してもらった結果は以下のとおりである。
比較例１：２名  比較例２：１名  比較例３：２５名  無記入：５名
【００５５】
この評価結果からは、蓄冷材そのものを人体に直接接触させたりビニール袋に収納して使用するよりも高級感があり、また、例えば、亡くなった方に使用する場合には、蓄冷材の色に対する嫌悪感を取り除くことができることがわかった。
【符号の説明】
【００５６】
１  保冷具
２  第１シート
３  第２シート
４  開口部
【図１】
2017221661.tif 000003
【図２】
2017221661.tif 000004
【図３】
2017221661.tif 000005
【図４】
2017221661.tif 000006